(57)【特許請求の範囲】
【請求項１】
圧縮空気（２０）を生じさせるための圧縮機区分（１）と、圧縮空気の第１の部分を加熱して高温圧縮ガス（３０）を生じさせるための燃焼区分（２）と、高温圧縮ガスを膨張させるためのタービン区分（３）とを有し、タービン区分内にはロータ（４）が配置され、ロータには複数の動翼（１８）が取り付けられ、動翼の各々は、翼幹部（４２）及び翼根部（４４）を有し、翼根部はプラットホーム（４６）及び該プラットホーム（４６）に連結された半径方向に延びるシャンク部分（５８）を有し、さらに、圧縮機区分からの圧縮空気の第２の部分をプラットホームを通って流れるよう差し向けることによって翼根部のプラットホームを冷却させるための手段が設けられているガスタービンにおいて、翼根部のプラットホームを冷却させるための前記手段は、シャンク部分（５８）を横方向に越えて延びるプラットホームの部分（６７）に形成された第１の軸方向に延びる冷却用空気通路（４８）と、第１の軸方向に延びる冷却用空気通路（４８）に連結された半径方向に延びる冷却用空気通路とを含むことを特徴とするガスタービン。
【請求項２】
翼幹部は各々、負圧面（５５）と正圧面（５４）を有し、第１の軸方向に延びる冷却用空気通路（４８）は、負圧面の反対側に位置していることを特徴とする請求項１記載のガスタービン。
【請求項３】
翼幹部は各々、負圧面（５５）と正圧面（５４）を有し、第１の軸方向に延びる冷却用空気通路（４９）は、正圧面の反対側に位置していることを特徴とする請求項１記載のガスタービン。
【請求項４】
翼プラットホーム冷却手段は、翼根部のプラットホーム（４６）に形成されていて、負圧面（５５）の反対側に位置する第２の軸方向に延びる冷却用空気通路（４９）を含むことを特徴とする請求項３記載のガスタービン。
【請求項５】
翼根部のプラットホーム（４６）は、上流側の面（６０）と下流側の面（６１）を有し、第１の軸方向に延びる冷却用空気通路（４８）は、下流側の面に形成された出口（５２）を有することを特徴とする請求項１記載のガスタービン。
【請求項６】
半径方向に延びる冷却用空気通路は、圧縮空気の第２の部分（３２）を受け入れるための入口（５０）を有することを特徴とする請求項１記載のガスタービン。
【請求項７】
翼根部のプラットホーム（４６）を冷却するための前記手段は、圧縮空気の第２の部分（３２）を第１の軸方向に延びる通路（４８）に差し向けるための手段（６５）をさらに有することを特徴とする請求項１記載のガスタービン。
【請求項８】
ロータ（４）の少なくとも一部を包囲するハウジング（２２）をさらに有し、圧縮空気の第２の部分（３２）を第１の軸方向に延びる通路（４８）に差し向けるための手段は、ハウジングとロータとの間の形成された環状通路（６５）を含むことを特徴とする請求項７記載のガスタービン。
【発明の詳細な説明】
発明の背景
本発明は、ガスタービンの回転翼に関する。特に、本発明はガスタービン翼のプラットホーム部分を冷却するための技術に関する。
ガスタービンは代表的には、圧縮空気を生じさせるための圧縮機区分を含む。燃料がこの圧縮空気の一部と混合して一または二以上の燃焼器内で燃焼させ、それにより高温圧縮ガスを生じさせる。次に高温が圧縮ガスをタービン区分内で膨張させて回転軸出力を生じさせる。
タービン区分は代表的には、複数の交互に並んだ静翼列と回転翼列を採用している。回転翼は各々、翼幹部及び回転翼をロータに取り付けるための翼根部を有する。翼根部は、プラットホームを有し、このプラットホームから翼幹部が延びている。
静翼及び動翼は燃焼器から排出される高温圧縮ガスにさらされるので、これら構成部品を冷却することが最重要である。従来、冷却を行うには、圧縮機からの圧縮空気の一部を抽出し（これを次に冷却しても或いは冷却しなくてもよい）、これをタービン区分に差し向け、それにより燃焼器をバイパスさせている。タービンへの導入後、冷却用空気は、静翼及び動翼の翼幹部に形成された半径方向通路を通って流れる。代表的には、多くの小さな軸方向通路が、静翼及び動翼の翼幹部の内側に形成され、これらは半径方向通路のうち１又は２以上と連結されて、冷却用空気が翼幹部の表面上に、例えば前縁及び後縁、或いは負圧面及び正圧面に差し向けられるようになっている。冷却用空気が静翼又は動翼を出た後、タービン区分を通って流れる高温ガスに入りこれと混じり合う。
上述の翼冷却手法は、動翼の翼幹部に関して適当な冷却を可能にしたが、従来、特に、翼根部のプラットホームを冷却する際に用いられる冷却用空気はなく、プラットホームの上面は燃焼器からの高温ガスの流れにさらされている。上流側の静翼から排出された冷却用空気の一部は翼根部のプラットホームの上面上を流れてフィルム冷却の手段となるが、経験の示すところによれば、このフィルム冷却はプラットホームを適度に冷却するには不十分である。その結果、酸化及び亀裂がプラットホーム中に生じる場合がある。
考えられる一解決策は、上流側静翼から排出される冷却用空気の空気を増大させることによってフィルム冷却作用を強めることにある。しかしながら、かかる冷却用空気はタービン区分を通って流れる高温ガスに入るが、冷却用空気は燃焼区分内で昇温作用を受けないので、冷却用空気から得られる有益な仕事はほとんどない。かくして、高い効率を達成するためには、冷却用空気の使用を最小限にすることが重要である。
イギリス国特許出願第２，０５７，５７３号は、冷却用空気をタービン段のすぐ上流側の領域から受け入れる手段が設けられた冷却剤移送装置及びディスクに隣接し、或いはその端縁に設けられていて、翼上を流れるガスとは無関係にタービン段の下流側で冷却用空気を排出するノズルを備えたガスタービンロータ組立体を開示している。また、各ディスクは、翼根部が嵌め込まれる複数のスロットを備え、翼根部固定手段と翼幹部との間にはプラットホームが設けられている。冷却用空気の一部は、ディスク内の冷却用通路を通って翼の内部へ供給される。
従って、最小限の冷却用空気を用いてガスタービン中の回転翼のプラットホーム部分を冷却する装置を提供することが望ましい。
発明の概要
従って、本発明の目的は、最小限の冷却用空気を用いてガスタービン中の回転翼のプラットホーム部分を冷却するための装置を提供することにある。
本発明のこの目的及び他の目的は、圧縮空気を生じさせるための圧縮機区分と、圧縮空気の第１の部分を加熱して高温圧縮ガスを生じさせるための燃焼区分と、高温圧縮ガスを膨張させるためのタービン区分とを有し、タービン区分内にはロータが配置され、ロータには複数の動翼が取り付けられ、動翼の各々は、翼幹部及び翼根部を有し、翼根部はプラットホーム及び該プラットホームに連結された半径方向に延びるシャンク部分を有し、さらに、圧縮機区分からの圧縮空気の第２の部分をプラットホームを通って流れるよう差し向けることによって翼根部のプラットホームを冷却させるための手段が設けられているガスタービンであって、翼根部のプラットホームを冷却させるための前記手段は、シャンク部分を横方向に越えて延びるプラットホームの部分に形成された第１の軸方向に延びる冷却用空気通路と、第１の軸方向に延びる冷却用空気通路に連結された半径方向に延びる冷却用空気通路とを含むことを特徴とするガスタービンにより達成される。
【図面の簡単な説明】
図１は、本発明のガスタービンの一部の部分概略縦断面図である。
図２は、第１の列の翼の付近における図１に示すタービン区分の一部の詳細図である。図３は、図２に示す第１列の翼の流れの方向と逆に見た等角図である。
図４は、翼のプラットホーム部分を通る断面を示す図２に示す第１列の翼の側面図である。
図５は、図４に示す５−５線における断面図である。
図６は、図４に示す６−６線における横断面図である。
好ましい実施例の説明
図面を参照すると、図１には、ガスタービンの一部の縦断面が示されている。ガスタービンの主要構成要素は、圧縮機区分１、燃焼区分２及びタービン区分３である。ロータ４が、これら３つの区分の中央に配置された状態でこれらを貫通していることが分かる。圧縮機区分１は、交互に配置された静翼の列１２と動翼又は回転翼１３を筒体７，８で包囲したものである。静翼１２は筒体８に固定され、回転翼１３はロータ４に取り付けられたディスクに固定されている。
燃焼区分２は、筒体８の後部と一緒に室１４を形成するほぼ円筒形のシェル９とロータ４の一部を包囲するハウジング２２で構成される。複数の燃焼器１５及びダクト１６が、室１４内に収納されている。ダクト１６は燃焼器１５をタービン区分３に連結している。燃料（これは、液体又はガスの形態、例えば、留出燃料油又は天然ガスであるのが良い）が、燃料ノズル３４を通って各燃焼器１５に入り、この中で燃やされて高温圧縮ガス３０が生じる。
タービン区分３は、外側筒体１０で内側筒体１１を包囲して構成される。内側筒体１１は、静翼列及び回転翼列を包囲する。静翼は内側筒体１１に固定され、回転翼はロータ４のタービン区分の一部を形成するディスクに固定されている。
作動の説明をすると、圧縮機区分１は、周囲空気を取り入れてこれを圧縮する。圧縮機区分１からの圧縮空気５は室１４に入り、次に燃焼器１５の各々に分配される。燃焼器１５内では、燃料３５は圧縮空気と混合されて燃やされ、それにより高温圧縮ガス３０を生じさせる。高温圧縮ガス３０はダクト１６を通り、次にタービン区分３の静翼列及び回転翼列中を流れ、この過程において、ガスは膨張し、ロータ４を駆動させる動力を発生させる。次に、膨張ガス３１をタービン３から排出する。
圧縮機１からの圧縮空気５の一部１９は、シェル９に連結されたパイプ３９によって室１４から抽気される。その結果、圧縮空気１９は燃焼器１５をバイパスし、ロータ４のための冷却用空気となる。所望ならば、冷却用空気１９を外部冷却装置３６によって冷却するのが良い。冷却された冷却用空気７０は冷却装置３６から、次にパイプ４１によりタービン区分３に差し向けられる。パイプ４１は冷却用空気７０をハウジング２２に形成された開口部３７に差し向け、それにより冷却用空気７０がロータ４を包囲している冷却用空気マニホルド２４に入ることができるようにする。
図２に示すように、タービン区分３内では、燃焼区分２からの高温圧縮ガス３０は、まず最初に、第１段の静翼１７の翼幹部上を流れる。圧縮機１からの圧縮空気２０′の一部は、第１段静翼の翼幹部を通って流れ、この翼幹部を冷却する。第１段の静翼幹部に設けられている複数の孔（図示せず）が冷却用空気２０′を、複数の小さな流れ４５として排出し、これら小さな流れは次に高温ガス３０内に混入される。次に、冷却用空気４５と高温ガス３０の混合物は、第１の動翼列１８の翼幹部上を流れる。
上述したように、第１段静翼１７からの冷却用空気の流れ４５のうち半径方向最も内側のものは、列の１つの翼プラットホーム４８の或る程度のフィルム冷却を可能にすることが期待できるが、経験の示すところによればこのフィルム冷却手段は不十分である。したがって、本発明は、プラットホーム４８の冷却を別途行う装置に関する。
図２に示すように、ロータ冷却用空気７０はハウジング２２に設けられた円周方向スロット３８を経てキャビティ２４から出て、ハウジング２２と代表的は「エアセパレータ」と称されるロータの一部２６との間に形成される環状通路６５に入る。環状通路６５から、冷却用空気７０のうち大部分４０は、孔６３を経てエアセパレータ２６に入り、最終的には、ロータディスク２０、次に種々の動翼列に至る冷却用空気となる。
冷却用空気７０のうち小さな部分３２は、通路６５を通り多数のラビリンスシール６４上へ下流に流れる。冷却用空気３２は次に、通路６５から半径方向外方に流れる。ハニカムシール６６が、ハウジング２２と列の１つの動翼１８の前方に延びるリップとの間に形成されている。シール６６は、冷却用空気３２が高温ガス流路中に直接流出するのを防止する。その代わり、本発明によれば、冷却用空気３２は、各列の１つの翼１８のプラットホーム４８に形成された２つの通路（これについては以下に詳細に説明する）を通って流れ、それにより、プラットホームを冷却すると共に、過度に高い温度に起因する劣化、例えば酸化及び亀裂を防止する。使用された冷却用空気３３は、プラットホーム冷却用空気通路から出た後、タービン区分３を通って膨張する高温ガス３０に入る。
図３及び図４に示すように、各列の１つのタービン翼１８は、翼幹部４２及び翼根部４４で構成されている。翼幹部４２は、前縁５６及び後縁５７を有する。凹状の正圧面５４及び凸状の負圧面５５が、翼根部４２の両側で前縁５６と後縁５７の間に延びている。翼根部４４は、ロータディスク２０に形成された溝と嵌合するその下部に沿って延びる複数のセレーション５９を有し、それにより翼をディスクに固定している。
プラットホーム部分４６が、翼根部４４の上部に形成されている。翼幹部４２は、プラットホーム４６に連結されると共にこれから半径方向外方に延びている。半径方向外方に延びるシャンク部分５８が、翼根部４４の下部のセレーション付きの部分とプラットホーム４６とを連結している。
図３〜図５に示すように、プラットホーム４６は、半径方向外方に延びる上流側の面６０及び下流側の面６１を有する。その上、図４及び図６に最もよく示されているように、プラットホーム４６の第１の部分６７は、横方向に延びて翼幹部４２の負圧面５５の反対側でシャンク５８から張り出している。プラットホーム４６の第２の部分６８は、横方向に延びて翼幹部４２の正圧面５４の反対側でシャンク５８から張り出している。図４〜図６に示すように、第１の冷却用空気通路４８及び第２の冷却用空気通路４９が、プラットホーム４６の張出し部分６７，６８に、高温ガス３０にさらされるその上面の真下に形成されている。
各冷却用空気通路４８，４９は、軸方向に延びる部分に連結された半径方向に延びる部分を有する。冷却用空気通路４８，４９の各々の軸方向に延びる部分は、プラットホーム４６の軸方向長さのうち少なくとも５０％を占め、好ましくは、プラットホームのほぼ軸方向全長に及ぶ。好ましくは、冷却用空気通路の軸方向部分は、プラットホーム４６の上面の下に１．３ｃｍ（０．５インチ）以下のところに位置し、最適には約０．７ｃｍ（０．２７インチ）以下のところに位置している。通路４８，４９が上述のような形状になっている結果、冷却用空気３２は、当初半径方向外方に流れる状態から軸方向下流側に流れる状態へ９０°曲がる。その際、冷却用空気はプラットホーム４６のほぼ全長に沿って軸方向に流れる。
図６に最もよく示すように、冷却用空気通路４８，４９は各々、プラットホーム４６の下流側に向いた面に形成された入口５０，５１を有する。入口５０，５１は、通路６５からの冷却用空気３２の半径方向上向き流を受け入れる。さらに、冷却用空気４８，４９は各々、プラットホーム４６の下流側の面６１に形成された出口５２，５３を有する。出口５２，５３は、使用済みの冷却用空気３３がプラットホームから出て高温ガス流に入るようにすることができる。
理解できるように、冷却用空気通路４８，４９は、例えば、列の１つの静翼１７から排出された冷却用空気４５の最も内側の流れの流量を増大させてフィルム冷却作用を強めることによって冷却作用を増強させる場合の多量の冷却用空気を用いないで、翼根部のプラットホーム４６の強力な冷却を可能にする。
本発明を第１列の動翼に関して説明したが、本発明は他の動翼列にも適用できる。従って、本発明の精神又は本質的にその均等範囲から逸脱することなく他の特定の形態で実施できるので、本発明の技術的範囲を定めるに当っては、上述の明細書ではなく特許請求の範囲の記載に基づくべきである。
【図１】
0003811502.tif 000002
【図２】
0003811502.tif 000003
【図３】
0003811502.tif 000004
【図４】
0003811502.tif 000005
【図５】
0003811502.tif 000006
【図６】
0003811502.tif 000007